(57)【要約】【課題】編地厚さに十分なボリュウムを生じさせて保温性を出しながら、柔軟なストレッチ性（伸び性）をも豊富にさせて動きやすい衣類を製作する際などに、好適に使用することができる編地を提案する。また、ストレッチ性を豊富にさせることによってもスナッキング等の不都合及びラン発生による編地ほつれの拡大は生じない編組織とする。【解決手段】編成時に糸を走らせる方向をコース方向とおくときに、タックを含んで編成されたタックコース３と、前記タックコース３のタックループ３ａが被せられるコース８との少なくとも２コースが、それぞれ地糸４，１２と添え糸５，１３とを備えたプレーティングによる編組織で構成されている。【選択図】図１
2018145569.tif 000002
【特許請求の範囲】
【請求項１】
編成時に糸を走らせる方向をコース方向とおくときに、タックを含んで編成されたタックコースと、前記タックコースのタックループが被せられるコースとの少なくとも２コースが、それぞれ地糸と添え糸とを備えたプレーティングによる編組織で構成されていることを特徴とする地厚ストレッチ編地。
【請求項２】
前記コース方向に交差する編み降ろし方向をウエール方向とおくときに、前記タックコースに対してウエール方向の両隣を挟む配置の２コースが、タックを不存在とする編組織で構成されていることを特徴とする請求項１記載の地厚ストレッチ編地。
【請求項３】
前記コース方向に交差する編み降ろし方向をウエール方向とおくときに、前記タックコースがウエール方向で複数連続して配置されていることを特徴とする請求項１記載の地厚ストレッチ編地。
【請求項４】
前記プレーティングによる編組織は前記添え糸が溶着糸とされており、前記タックコースと前記タックコースのタックループが被せられるコースとが前記溶着糸により融着又は合着されていることを特徴とする請求項１乃至請求項３のいずれか１項に記載の地厚ストレッチ編地。
【請求項５】
前記プレーティングの編組織を構成する前記地糸及び前記添え糸は互いの収縮率に差が生じるように選出されており、これら地糸及び添え糸は、収縮後の形状安定時に互いのループ形体が寄り添うようになることを見こした給糸長で形成されていることを特徴とする請求項１乃至請求項４のいずれか１項に記載の地厚ストレッチ編地。
【発明の詳細な説明】
【技術分野】
【０００１】
本発明は、編地厚さに十分なボリュウムを生じさせて保温性を出しながら、柔軟なストレッチ性（伸び性）をも豊富にさせて動きやすい衣類を製作する場合などに、好適に使用することのできる地厚ストレッチ編地に関する。
【背景技術】
【０００２】
シリンダ−及びダイヤルを備えたダブルの丸編機を用いて編成した丸編地（筒状生地）として、軽く且つボリュウムを有する編地が知られている（例えば、特許文献１等参照）。この公知の編地は、糸を走らせる方向（シリンダ−やダイヤルの周方向）をコース方向とおいてこのコース方向に複数の給糸口を設けて編み降ろす際に、シリンダ−針によるシングルニット（例えば、平編）のみのコースと、ダイヤル針によるシングルニットのみのコースと、ダイヤル針側をタックとしシリンダ−針側をニットとしつつ更にプレーティング編をしたコースとを組み合わせて編組織を構成させるようになっている。
【０００３】
一方、他の筒状生地として、保温性を高めるために起毛させた編地が知られている（例えば、特許文献２等参照）。この公知の起毛編地についても、コース方向に複数の給糸口を設けて編み降ろす際に、シリンダ−針によるシングルニットのみのコースと、ダイヤル針によるシングルニットのみのコースと、ダイヤル針側をタックとしシリンダ−側をニットとしたコースとを組み合わせて編組織を構成させるようになっている。そして、ダイヤル針側をタックとしシリンダ−針側をニットとしたコースのうち、シリンダ−針側のニードルループを起毛させている。
【先行技術文献】
【特許文献】
【０００４】
【特許文献１】特開昭６２−１４１１６１号公報
【特許文献２】特開２０００−２５６９４５号公報
【発明の概要】
【発明が解決しようとする課題】
【０００５】
特許文献１，２により開示された公知の編地は、いずれも、ストレッチ性を重視したものではないためにダブルニット（例えば、リブ編）に編成したコースを有しておらず、ストレッチ性は十分とは言えないものとなっていた。そのため、これらの編地を用いたところで、編地厚さのボリュウム感とストレッチ性とを両立させた衣類を製作することはできなかった。
【０００６】
本発明は、上記事情に鑑みてなされたものであって、編地厚さに十分なボリュウムを生じさせて保温性を出しながら、柔軟なストレッチ性（伸び性）をも豊富にさせて動きやすい衣類を製作する際などに、好適に使用することのできる地厚ストレッチ編地を提供することを目的とする。
また本発明は、ストレッチ性を豊富にさせることによってもスナッキング等の不都合及びラン発生による編地ほつれの拡大は生じない編組織を有した地厚ストレッチ編地を提供することを目的とする。
【課題を解決するための手段】
【０００７】
前記目的を達成するために、本発明は次の手段を講じた。
即ち、本発明に係る地厚ストレッチ編地は、編成時に糸を走らせる方向をコース方向とおくときに、タックを含んで編成されたタックコースと、前記タックコースのタックループが被せられるコースとの少なくとも２コースが、それぞれ地糸と添え糸とを備えたプレーティングによる編組織で構成されていることを特徴とする。
【０００８】
前記コース方向に交差する編み降ろし方向をウエール方向とおくときに、前記タックコースに対してウエール方向の両隣を挟む配置の２コースが、タックを不存在とする編組織で構成されたものとすることができる。
或いは、前記タックコースがウエール方向で複数連続して配置されているものとしてもよい。
【０００９】
前記プレーティングによる編組織は前記添え糸が溶着糸とされており、前記タックコースと前記タックコースのタックループが被せられるコースとが前記溶着糸により融着又は合着されたものとすることができる。
前記プレーティングの編組織を構成する前記地糸及び前記添え糸は互いの収縮率に差が生じるように選出されており、これら地糸及び添え糸は、収縮後の形状安定時に互いのループ形体が寄り添うようになることを見こした給糸長で形成されたものとするのがよい。
【００１０】
ここにおいて地糸や添え糸の収縮は、糸素材の弾性に基づくものとしてもよいし、編成後に付与する加熱（蒸気、加熱空気、プレス等）に基づくものとしてもよい。
また地糸や添え糸の収縮は、特に、収縮率の大きな方（糸）のループが収縮した際に、収縮率の小さな方（糸）のループを形状的に拘束するような締め付け作用が生じることを見こして、前記地糸と前記添え糸を（収縮率と給糸長との関係として）選出することが好ましい。
【発明の効果】
【００１１】
本発明に係る地厚ストレッチ編地は、編地厚さに十分なボリュウムを生じさせて保温性を出しながら、柔軟なストレッチ性（伸び性）をも豊富にさせて動きやすい衣類を製作する際などに、好適に使用することができる。またこの地厚ストレッチ編地は、ストレッチ性が豊富でありながらもスナッキング等の不都合及びラン発生による編地ほつれの拡大は生じない編組織を有したものとなっている。
【図面の簡単な説明】
【００１２】
【図１】本発明に係る地厚ストレッチ編地の第１実施形態を示した組織図である。
【図２】本発明に係る地厚ストレッチ編地の第１実施形態を示した編目図である。
【図３】本発明に係る地厚ストレッチ編地の第２実施形態を示した組織図である。
【図４】本発明に係る地厚ストレッチ編地の第３実施形態を示した組織図である。
【図５】本発明に係る地厚ストレッチ編地の第４実施形態を示した組織図である。
【図６】本発明に係る地厚ストレッチ編地の第５実施形態を示した組織図である。
【図７】本発明に係る地厚ストレッチ編地の第６実施形態を示した組織図である。
【図８】本発明に係る地厚ストレッチ編地の第７実施形態を示した組織図である。
【図９】本発明に係る地厚ストレッチ編地の第８実施形態を示した組織図である。
【発明を実施するための形態】
【００１３】
以下、本発明の実施の形態を、図面に基づき説明する。
図１及び図２は、本発明に係る地厚ストレッチ編地（以下、「本発明編地」と言う）１の第１実施形態を示している。これら図１及び図２から明らかなように、本発明編地１はタックコース３を備えており、しかもこのタックコース３は地糸４と添え糸５とによりプレーティング編みされた編組織となっている。
【００１４】
タックコース３は、コース方向（編成時に糸を走らせる方向であり図１、図２では左右方向である）の少なくとも１箇所に、並行するコースを形成しているループまで引き上げられて、被せられるタックループ３ａを有したものである。言うまでもなく、このタックループ３ａは地糸４と添え糸５とにより形成されている。
このタックコース３では、地糸４によるタックループのループ形体と、添え糸５によるタックループのループ形体とが互いに寄り添うようになっており（ループの大きさが略同じであり）、綺麗な２重ループが得られるものとなっている。
【００１５】
図１及び図２はタックコース３が１回タックで、且つ全てのループをタックさせたフルタックの場合を例示してある。そのため、タックループ３ａは、タックコース３に対してウエール方向（コース方向に交差する編み降ろし方向であり図１、図２では上下方向である）で隣接するコース８の全てのループ８ａに被せられている。
そして、本発明編地１では、上記のようにタックコース３のタックループ３ａが被るループ８ａを有するコース８についても、地糸１２と添え糸１３とによりプレーティング編みされた編み組織となっている。
【００１６】
なお、本第１実施形態において、タックコース３に隣接するコース８は、リブ編などのダブルニットにより編成されたダブルニットコースとしてある。そしてこのダブルニット
コース８においても、地糸１２によるループ形体と添え糸１３によるループ形体とが、収縮後の形状安定時に寄り添うようにしてある。
このように、本発明編地１では、タックループ３ａとこのタックループ３ａが被るループ８ａとが共にプレーティング編みされていることから、ここに、［地糸４と添え糸５］及び［地糸１２と添え糸１３］より成る４重ループ１５が形成されたものとなっている。従って、この４重ループ１５の存在により、本発明編地１は編地厚さに十分なボリュウムを生じさせることができるものである。
【００１７】
加えて、本発明編地１では、次の構成を採用してある。すなわち、タックコース３において、プレーティングの編組織を構成する地糸４及び添え糸５は、互いの収縮率に差が生じるようにして選出してある。
そしてここで重要とされることは、収縮率の大きな方の糸が収縮した後でも、地糸４によるタックループのループ形体と、添え糸５によるタックループのループ形体とが互いに寄り添うようにしている点にある。
【００１８】
そのため、編成後には、収縮率の大きな方（糸）のループが収縮することによって収縮率の小さな方（糸）のループを形状的に拘束し、タックループ３ａを過大とならないように締め付け、もってコンパクトで綺麗な多重ループが得られるものとなっている。
これにより、編地厚のボリュウムアップ効果を一層高めるだけでなく、編地のどこを裁断しても編組織が緩んだり崩壊したりすることがないというフリーカット性（いわゆる「切りっぱ」の効果）を得ることもできる。また、編地端において糸端が飛び出すような問題を解消できるので、本発明編地１により衣類を作成した場合には、着たり脱いだりの繰り返しや洗濯などを原因とする編地の痛みにつき、これらを抑制する効果が図れる点で極めて有益となる。
【００１９】
地糸４と添え糸５とを選出するうえで、互いの収縮率に差を生じさせたものとするには、例えば、地糸４にだけ熱収縮糸を採用し、その給糸長が収縮量に見合うものとなるように、長く繰り出させる設定とすることで実現できる。このようにすることで、編成後においては熱収縮糸である地糸４が添え糸５よりも大きな収縮を起こし、添え糸５のループを形状的に拘束するような締め付け作用が生じる。
【００２０】
このような熱収縮糸には、例えばバルキーアクリルなどの短繊維を用いることができる。
なお、熱収縮糸には、沸水収縮率が８％以上４５％以下とされたものを採用することが好適とされる。沸水収縮率が８％未満であると、ループ拘束作用が乏しくて編地厚さのボリュウムやフリーカット性が不充分となる場合があり、また反対に、沸水収縮率が４５％を超えると、強化されるループ拘束作用を要因として編地ボリュウムが分厚くなりすぎたり、目付が過大となったりする場合がある。
【００２１】
とは言え、必ずしも編地厚さ及び目付などの全てを満足させることが常に要請されるわけではないので、沸水収縮率８％未満である熱収縮糸（例えばポリエステル糸等）や、沸水収縮率４５％を超える熱収縮糸を使用することも、編地としての要請内容に応じて許容できる場合がある。
なお、地糸４と添え糸５とを選出するうえで、互いの収縮率に差を生じさせたものとするには、いずれか一方の糸を弾性糸として、編成時に大きく延伸を付与するという方法を採用することでも実現できる。
【００２２】
ところで、タックコース３は主として編地厚さにボリュウムを持たせることを目的としており、これに対してダブルニットコース８，１７は、主として編地のストレッチ性（伸び性）を豊富にさせることを目的としていると言うことができる。
そのため、編組織の主要成分である地糸４，１２，１８（編地表側として多く現れる糸）と、副成分である添え糸５，１３，１９（編地内側として多く現れる糸）とでは、それぞれ伸縮性、強度、太さ、比重といった物性面であったり、また外観や柄、風合い（肌触り）、保温性などの特性であったりに着目して、使用する糸種を選択するのがよい。
【００２３】
しかし、本発明編地１においては、タックコース３やダブルニットコース８，１７をプレーティング編みするものであるので、殊更、使用する糸種が限定されるものではない。
例えば、地糸４，１２，１８には、前記したように収縮率の大きさを期待して熱収縮糸を用いたり、弾性作用を期待してベア糸やカバリング糸（ＳＣＹやＤＣＹ）を用いたりすることができる。
【００２４】
また添え糸５，１３，１９についても、弾性作用を期待してベア糸やカバリング糸（ＳＣＹやＤＣＹ）を用いることが有効である。また「弾性」の観点ではなく、編成後の編地に熱セット処理（加熱処理）を施すことで組織の融着や合着作用を期待することのできるという観点から、溶着糸（熱融着糸）を用いることもできる。その他、非弾性糸としての作用を期待して例えばナイロンやポリエステルなどの長繊維を単独又は複合的に用いることも可能であるし、風合いを高める作用を期待して綿糸や絹糸など用いることも可能である。
【００２５】
添え糸５，１３，１９に溶着糸を用いて熱セット処理を施した場合について付言すると、タックコース３と、このタックコース３のタックループ３ａが被るループ８ａを有するコース８とが、繊維同士の交差部や並行部などにおいて溶着糸により融着又は合着されたものとなる。これにより、フリーカット性や、編地端の糸端飛び出し防止作用を一層高めることができる利点がある。
【００２６】
なお、タックコース３をプレーティング編みしない場合を仮定して、編地厚さにボリュウムを生じさせることを考えると、例えば従来公知のリブ編みなどのダブルニットで編地を編成したうえで、使用する糸の番手や給糸長を上げる（太い糸を使い、繰り出し長さを長くする）手法を採用するのが一般的であった。
しかし、この従来手法により編成した編地では、目付（重量）が重くなり、またストレッチ性が低下するなどの課題を伴うことになる。もし、このダブルニットをプレーティング編みなどすれば、なおさら目付の重量化や低ストレッチ化を招来するおそれがある。
【００２７】
これに対して本発明編地１では、このような課題を伴うことはないので、軽くて且つ分厚く、更に豊富なストレッチ性を有した編地を得ることができるものである。
なお、本第１実施形態では、ダブルニットコース８に続けて第２のダブルニットコース１７を配置してある。要するに、本第１実施形態の本発明編地１は、タックコース３を含めた合計３コース（８，１１，１７）をウエール方向に繰り返した、いわゆる３口リピートとして構成されたものであり、タックコース３を挟む両隣が、タックを不存在とする編組織（ダブルニットコース８，１７）になる配置と言える。
【００２８】
また本第１実施形態では、第２のダブルニットコース１７についても、地糸１８と添え糸１９とによりプレーティング編みされたものとしてある。そして、この第２のダブルニットコース１７でも、地糸１８によるループ形体と添え糸１９によるループ形体とが、収縮後の形状安定時に寄り添うようにしてある。
これによって本第１実施形態の本発明編地１では、編地全体がプレーティング編みされた編み組織となっている。このようにすることで、コースごとのボリュウム感の違いを緩和して、視覚的、着用感的な違和感に繋がらないようにすることに成功している。
【００２９】
このような構成の本発明編地１は、例えばシリンダ−とダイヤルとを備えるダブルの丸編機等（図示略）により編成することができる。この場合、シリンダ−やダイヤルの周方向（コース方向）に糸を走らせつつ、このコース方向に設けた複数の給糸口からの給糸により、筒状に編み降ろすものとする。
タックコース３やダブルニットコース８，１７において、シリンダ−針側で編成したループに起毛処理を施して毛羽立たせることで、このシリンダ−針側による編成面を衣類の肌側面として形成させるとよい。
【００３０】
なお、衣類にゆったり感を持たせるには、これらタックコース３やダブルニットコース８，１７を編成する際に、地糸４，１２，１８及び添え糸５，１３，１９の給糸長を標準的なダブルニット編成時の給糸長よりも長く繰り出す設定とし、形成されるループの拡大化を図るようにするとよい。
本第１実施形態の編組織を有する本発明編地１を用いて衣類を製作した結果、編地厚さに十分なボリュウムを生じさせて保温性を出しながら、柔軟なストレッチ性（伸び性）をも豊富にさせて動きやすい衣類を完成させることができた。
【００３１】
ところで、本発明編地１において、編組織をタックコース３とダブルニットコース８，１７とによる３口リピートとすることは限定されるものではない。例えば、図３に第２実施形態として示すように、第２のダブルニットコース１７に続けて更に第３のダブルニットコース２３（地糸２４、添え糸２５）を設けて４口リピートとしてもよい。
場合によっては、図４に第３実施形態として示すように、タックコース３とダブルニットコース８との２口リピートとしてもよい。
【００３２】
なお、タックコース３においては、タックループ３ａをシリンダ針（下針）で形成させてもよいしダイヤル針（上針）で形成させてもよい。従って例えば、図５に第４実施形態として示すように、シリンダ針側及びダイヤル針側で交互にタックループ３ａを形成させるようにしたタックコース３とダブルニットコース８とを組み合わせるようにしてもよい。この場合、タックコース３はウエール方向で連続又は非連続の複数コースとなるように設けることも可能である。
【００３３】
一方、タックコース３において採用するタック編みでは、２回タックや３回タックなどが可能である。例えば図６に第５実施形態として示すように、２回タックの場合では、タックコース３に対してウエール方向で１コースをおいて隣となるコース１７のループ１７ａに、タックループ３ａが被せられることになる。また３回タックの場合（図示略）では、タックコース３から２コースをおいて隣となるコースのループに、タックループ３ａが被せられることになる。
【００３４】
このように２回タック等の複数回タックを行う場合でも、本発明編地１では、タックコース３のタックループ３ａが被るループ１７ａを有するコース１７（図６参照）を、地糸１８と添え糸１９とによりプレーティング編みされた編み組織としておけば、タックループ３ａとこのタックループ３ａが被るループ１７ａとによって、［地糸４と添え糸５］及び［地糸１８と添え糸１９］より成る４重ループ２７が形成されたものとなる。
【００３５】
従って、この４重ループ２７の存在により、本発明編地１は編地厚さに十分なボリュウムを生じさせることができるものである。
このことから明らかなように、タックコース３のタックループ３ａは、必ずしも「タックコース３に隣接するコース８のループ８ａ」に被せられることが限定されるわけではない。
【００３６】
なお、本第５実施形態では、タックコース３に続けて３種のダブルニットコース８，１７，２６を配置した４口リピートとして構成されたものを例示してある。このうちのダブルニットコース２６についても、地糸２８と添え糸２９とによりプレーティング編みされた編み組織としてある。
この場合もやはり、タックコース３を挟む両隣が、タックを不存在とする編組織（ダブルニットコース８，２６）となり、また編地全体がプレーティング編みされた編み組織となっていると言える。
【００３７】
図７は、本発明編地１の第６実施形態を示している。本第６実施形態では、タックコース３の隣コースにシングルニット（平編）により編成されたシングルニットコース３３を配置してある。このシングルニットコース３３も、地糸３４と添え糸３５とによるプレーティング編を行ってある。従って、タックコース３のタックループ３ａが、シングルニットコース３３のループ３３ａまで引き上げられて被せられている。
【００３８】
これにより、タックループ３ａとこのタックループ３ａが被るループ３３ａとによって、［地糸４と添え糸５］及び［地糸３４と添え糸３５］より成る４重ループが形成されるものとなって、編地厚さに十分なボリュウムを生じさせることができるものである。
なお、シングルニットコース３３を採用する場合、コース方向で隣り合うループとループとの間に、いわゆる糸渡り部３７が現れることになる。このような糸渡り部３７は、従来公知の編み組織では編地を引き伸ばした際などに、編地表面側のリブ間で直線状に露出することがあり、以下のような問題に繋がることがあった。
【００３９】
すなわち、糸渡り部３７が露出状態になると、この露出部分が編地を取り扱う者の爪をはじめとして、洗濯時や使用時における他物との接触で引っ掛けられやすくなり、スナッキング（編地面から糸が引き出されてほつれること）や、甚だしい場合には糸切断に繋が
る要因となっていた。また、このようなスナッキングや糸切断が一旦生じると、そこを起点にランが発生し、外観上、極めて目立つ編地面の破れに派生するおそれもあった。
【００４０】
しかし、本発明編地１では、シングルニットコース３３が地糸３４と添え糸３５とを有するプレーティング編により編成されたものであるので、糸渡り部３７は２重となって補強された状態になる。のみならず、この糸渡り部３７は前記した４重ループによって位置的な拘束を受けることになり、ルーズ性が制限された状態になる。
そのため、本発明編地１を取り扱う者の爪、或いは洗濯時や使用時における他物との接触を原因として、糸渡り部３７がスナッキングや糸切断に至ることは防止される。また万が一、糸渡り部３７に引っ掛かりが生じたとしても、この糸渡り部３７が補強され、位置的な拘束を受けていることによってスナッキングに至る危険性は可及的に抑制されるものである。
【００４１】
もとより、タックコース３やシングルニットコース３３に溶着糸を用い、編成後の編地に熱セット処理を行うのであれば、タックコース３とタックコース３のタックループ３ａが被るループ３３ａを有するコース３３とが溶着糸により融着又は合着されたものとなるので、このような状況下ではスナッキングは確実に防止されることになる。
図８は、本発明編地１の第７実施形態を示している。本第７実施形態は、第６実施形態（図７参照）を基本パターンにして更に発展させたもので、タックコース３にはタックループ３ａとウエルト部（ミス部又は浮き編み部とも呼称される）３ｂとを交互に混ぜる編組織を採用してある。
【００４２】
加えて、このタックコース３とシングルニットコース３３とによる２口リピートを１番給糸口―６番給糸口の間で６回繰り返した後、タックコース３のタックループ３ａとウエルト部３ｂとの配置をコース方向で半ピッチずらしたものにおいて、シングルニットコース３３とによる２口リピートを７番給糸口―１２番給糸口の間で６回繰り返す編組織を採用してある。
【００４３】
当然に、タックコース３は地糸４と添え糸５とによるプレーティング編みを行ってあり、シングルニットコース３３についても、地糸３４と添え糸３５とによるプレーティング編を行ってある。
従って、本第７実施形態においても、タックコース３のタックループ３ａが隣接するシングルニットコース３３のループ３３ａまで引き上げられ、被せられて、４重ループが形成される部分を生じさせるものとなる。
【００４４】
図９は、本発明編地１の第８実施形態を示している。本第８実施形態は、タックループ３ａを２回繰り返した２回タック部と、ウエルト部３ｂとを交互に編んだタックコース３を、１番給糸口―３番給糸口の間、及び５番給糸口―７番給糸口の間で繰り返すと共に、４番給糸口及び８番給糸口に、シリンダ針によるウエルト部３ｂとダイヤル針によるウエルト部３ｂとだけを繰り返すコース４０を挟み込むようにした編組織としてある。
【００４５】
そして、少なくともタックコース３は地糸４と添え糸５とによるプレーティング編みを行ってある（図示は省略した）。そのため、タックコース３のタックループ３ａが、並行するコースのループまで引き上げられ、被せられて、４重ループが形成される部分を生じさせるものとなる。
ところで、本発明は、前記の実施形態に限定されるものではなく、実施の形態に応じて適宜変更可能である。
【００４６】
例えば、本発明編地１は、ダブルシリンダ−を備えた丸編機や２列針床の横編機によって編成することもできる。このことから明らかなように、本発明に係る本発明編地１は、筒状であること、又は筒状として編成された形体を経ることが条件付けられるものではなく、一枚ものの平編地として編成されたものでもよい。
タックコース３をはじめとする各コースにおいて、それぞれ使用する糸種は特に限定されるものではなく、例えば、タックコース３に長繊維を採用したり、その他のコースに短繊維を採用したりしてもよい。また、短繊維や長繊維として具体的に何を選択するかについても、何ら限定されるものではない。
【００４７】
タックコース３において、タックループ３ａを設けるコース方向のピッチは何ら限定さ
れない。ただ、タックループ３ａを多くすればするほど、編地厚さにボリュウムを持たせることに繋がることは言うまでもない。
プレーティング編みにおいて、地糸や添え糸は、各１本とすることが限定されるわけではない。場合によっては地糸を複数本用いたり添え糸を複数本用いたりすることができる。そのため、タックコース３のタックループ３ａにより形成される多重ループについても、４重ループとすることが限定されるわけではなく、５重ループや６重ループなどの場合も実施可能である。
【００４８】
プレーティング編みにおいて、編地の表側や内側を特定する必要がある場合を除いては、地糸と添え糸とが寄り添う配置関係が殊更重要となるわけではない。そのため、本明細書においては、特別に、「プレーティング編み（添え糸編み）」には「交編（引き揃え編み）」を含めるものとする。
【符号の説明】
【００４９】
１  地厚ストレッチ編地（本発明編地）
３  タックコース
３ａ  タックループ
３ｂ  ウエルト部
４  地糸
５  添え糸
８  ダブルニットコース
８ａ  ループ
１２  地糸
１３  添え糸
１５  ４重ループ
１７  ダブルニットコース
１７ａ  ループ
１８  地糸
１９  添え糸
２３  ダブルニットコース
２４  地糸
２５  添え糸
２６  ダブルニットコース
２７  ４重ループ
２８  地糸
２９  添え糸
３３  シングルニットコース
３３ａ  ループ
３４  地糸
３５  添え糸
３７  糸渡り部
４０  ウエルト部だけのコース
【図１】
2018145569.tif 000003
【図２】
2018145569.tif 000004
【図３】
2018145569.tif 000005
【図４】
2018145569.tif 000006
【図５】
2018145569.tif 000007
【図６】
2018145569.tif 000008
【図７】
2018145569.tif 000009
【図８】
2018145569.tif 000010
【図９】
2018145569.tif 000011